(57)【要約】【課題】屋根仕上げ材等の仕上げ板材の破損を確実に防ぐことができるとともに、現場での建物の施工に係る作業を軽減して施工性を向上させることが可能な建築用パネルの積み重ね構造を提供することを目的とする。【解決手段】スペーサ５は、パネル本体２の表面に取り付けられた複数の仕上げ板材４に跨るようにして配置される長尺なスペーサ本体５ａと、パネル本体２の表面の周縁部付近のジョイント領域Ｔに設置される一対の脚部５ｂとを備えており、下方に位置する建築用パネル１には、スペーサ５が、このパネル本体２の長さ方向に沿って複数設けられており、これら複数のスペーサ５上に、上方に位置する建築用パネル１が載置されている。これにより、スペーサを、複数の仕上げ板材を跨ぐようにして、パネル本体上に配置できる。【選択図】図１
2009255960.tif 000002
【特許請求の範囲】
【請求項１】
パネル本体と、このパネル本体の表面に、このパネル本体の周縁部から所定の間隔をあけて取り付けられる複数の仕上げ板材とを備える建築用パネルを、スペーサを介して上下方向に複数積み重ねてなる建築用パネルの積み重ね構造であって、
前記パネル本体の表面の周縁部付近は、このパネル本体と、このパネル本体と隣接する他のパネル本体とを連結した際に、これら隣接するパネル本体間に架け渡されるジョイント用の仕上げ板材を取り付けるためのジョイント領域とされており、
前記スペーサは、前記パネル本体の表面に取り付けられる複数の仕上げ板材に跨るようにして配置される長尺なスペーサ本体と、このスペーサ本体の両端部にそれぞれ取り付けられるとともに、前記ジョイント領域に設置される一対の脚部とを備えており、
下方に位置する建築用パネルのパネル本体には、前記スペーサが、このパネル本体の長さ方向に沿って複数設けられており、これら複数のスペーサ上に架け渡されるようにして、上方に位置する建築用パネルが載置されていることを特徴とする建築用パネルの積み重ね構造。
【請求項２】
請求項１に記載の建築用パネルの積み重ね構造において、
前記建築用パネルは、建物の屋根を構成する屋根パネルであり、前記仕上げ板材は、屋根仕上げ材であることを特徴とする建築用パネルの積み重ね構造。
【請求項３】
請求項２に記載の建築用パネルの積み重ね構造において、
前記複数の屋根仕上げ材は、屋根の勾配方向に沿って下方から上方に向かって複数段に重なり合うようにして、前記屋根パネルのパネル本体の表面に取り付けられており、
前記一対の脚部の高さ寸法は、前記屋根仕上げ材同士が重なり合う部分よりも高くなるように設定されていることを特徴とする建築用パネルの積み重ね構造。
【請求項４】
請求項２または３に記載の建築用パネルの積み重ね構造において、
前記スペーサ本体の下面には、前記重なり合う屋根仕上げ材の表面に当接する緩衝材が取り付けられていることを特徴とする建築用パネルの積み重ね構造。
【請求項５】
請求項２〜４のいずれか一項に記載の建築用パネルの積み重ね構造において、
前記屋根パネルには、この屋根パネルの表面から突出する雪止め部材が複数設けられており、
前記スペーサの高さ寸法は、前記雪止め部材よりも高くなるように設定されていることを特徴とする建築用パネルの積み重ね構造。
【発明の詳細な説明】
【技術分野】
【０００１】
本発明は、建築用パネルを、スペーサを介して上下方向に複数積み重ねてなる建築用パネルの積み重ね構造に関する。
【背景技術】
【０００２】
近年、建物の構築についてはその工業化が進み、壁や床、屋根といった構成要素を予め工場にてパネル化しておき、施工現場でこれらの建築用パネルを組み立てることにより、建物を構築するといったパネル工法が一部に採用されている。
例えば、予め工場生産された屋根パネルを建物の屋根部分に設置することによって屋根が形成されるようになっている（例えば、特許文献１参照）。
【特許文献１】特開２００３−０２０７５１号公報
【発明の開示】
【発明が解決しようとする課題】
【０００３】
ところで、特許文献１に記載のような屋根パネルの表面に、この屋根パネルの表面を覆う仕上げ板材である屋根仕上げ材を、予め工場等で取り付けておき、このような屋根仕上げ材が取り付けられた屋根パネルを用いて屋根を施工することによって、現場での作業を軽減したいという要望がある。また、できるだけ多くの屋根パネルを輸送車両の荷台に積載して、輸送効率を向上させたいという要望があった。
ところが、できるだけ多くの屋根パネルを輸送車両の荷台に積載するために、例えば複数の屋根パネルを上下方向に積み重ねると、輸送中に屋根パネル同士が強く接触することで、これら複数の屋根パネルの表面に取り付けられた屋根仕上げ材が破損してしまう場合がある。このように屋根仕上げ材が破損してしまうと、現場で破損部分を修復したり、屋根仕上げ材自体を取り替えたりする必要があり、手間である。
以上のような要望や問題点は、屋根パネルに限るものではなく、壁パネルや床パネル等を含む建築用パネル全般に共通するものである。
【０００４】
本発明の課題は、屋根仕上げ材等の仕上げ板材の破損を確実に防ぐことができるとともに、現場での建物の施工に係る作業を軽減して施工性を向上させることが可能な建築用パネルの積み重ね構造を提供することを目的とする。
【課題を解決するための手段】
【０００５】
請求項１に記載の発明は、例えば図１〜図４に示すように、パネル本体２と、このパネル本体２の表面に、このパネル本体２の周縁部から所定の間隔をあけて取り付けられる複数の仕上げ板材４とを備える建築用パネル１を、スペーサ５を介して上下方向に複数積み重ねてなる建築用パネル１の積み重ね構造であって、
前記パネル本体２の表面の周縁部付近は、このパネル本体２と、このパネル本体２と隣接する他のパネル本体２とを連結した際に、これら隣接するパネル本体２間に架け渡されるジョイント用の仕上げ板材４を取り付けるためのジョイント領域Ｔとされており、
前記スペーサ５は、前記パネル本体２の表面に取り付けられる複数の仕上げ板材４に跨るようにして配置される長尺なスペーサ本体５ａと、このスペーサ本体５ａの両端部にそれぞれ取り付けられるとともに、前記ジョイント領域Ｔに設置される一対の脚部５ｂとを備えており、
下方に位置する建築用パネル１のパネル本体２には、前記スペーサ５が、このパネル本体２の長さ方向に沿って複数設けられており、これら複数のスペーサ５上に架け渡されるようにして、上方に位置する建築用パネル１が載置されていることを特徴とする。
【０００６】
請求項１に記載の発明によれば、前記スペーサ５は、前記パネル本体２の表面に取り付けられる複数の仕上げ板材４に跨るようにして配置される長尺なスペーサ本体５ａと、このスペーサ本体５ａの両端部にそれぞれ取り付けられるとともに、前記ジョイント領域Ｔに設置される一対の脚部５ｂとを備えているので、これら一対の脚部５ｂを前記パネル本体２の周縁部付近のジョイント領域Ｔに設置するとともに、前記スペーサ本体５ａを前記パネル本体２の表面に取り付けられた複数の仕上げ板材４に跨るようにして配置することによって、前記スペーサ５を、前記パネル本体２の表面に取り付けられた複数の仕上げ板材４を跨ぐようにして、前記パネル本体２上に配置できることとなる。
これによって、輸送時に、前記建築用パネル１を上下方向に複数積み重ねたとしても、これら建築用パネル１同士が強く接触することがなくなるので、これら複数の建築用パネル１のパネル本体２の表面に取り付けられた複数の仕上げ板材４が破損してしまうことを確実に防ぐことができる。したがって、従来とは異なり、現場で、これら複数の仕上げ板材４の破損部分を修復したり、これら複数の仕上げ板材４自体を取り替えたりする必要がなくなるので、現場での建物の施工に係る作業を軽減して施工性を向上させることが可能となる。
【０００７】
しかも、このようなスペーサ５が、前記下方に位置する建築用パネル１のパネル本体２の長さ方向に沿って複数設けられているので、前記上方に位置する建築用パネル１を、これら複数のスペーサ５上に安定的に載置することができる。これによって、できるだけ多くの建築用パネル１を輸送車両の荷台に積載することができるので、輸送効率を向上させることができる。
また、前記パネル本体２の表面に、前記複数の仕上げ板材４を予め取り付けておくことができるので、このような建築用パネル１を用いて建物を施工することによって、現場での作業を軽減することができる。
【０００８】
請求項２に記載の発明は、例えば図１〜図４に示すように、請求項１に記載の建築用パネル１の積み重ね構造において、
前記建築用パネル１は、建物の屋根を構成する屋根パネル１であり、前記仕上げ板材４は、屋根仕上げ材４であることを特徴とする。
【０００９】
請求項２に記載の発明によれば、前記建築用パネル１は、建物の屋根を構成する屋根パネル１であり、前記仕上げ板材４は、屋根仕上げ材４であることから、前記スペーサ５を、前記屋根パネル１のパネル本体２の表面に取り付けられた複数の屋根仕上げ材４を跨ぐようにして、前記パネル本体２上に配置することによって、輸送時に、前記屋根パネル１を上下方向に複数積み重ねたとしても、これら屋根パネル１同士が強く接触することがなくなるので、これら複数の屋根パネル１のパネル本体２の表面に取り付けられた複数の屋根仕上げ材４が破損してしまうことを確実に防ぐことができる。したがって、従来とは異なり、現場で、これら複数の屋根仕上げ材４の破損部分を修復したり、これら複数の屋根仕上げ材４自体を取り替えたりする必要がなくなるので、現場での屋根の施工に係る作業を軽減して施工性を向上させることが可能となる。
【００１０】
請求項３に記載の発明は、例えば図１〜図４に示すように、請求項２に記載の建築用パネル１の積み重ね構造において、
前記複数の屋根仕上げ材４は、屋根の勾配方向に沿って下方から上方に向かって複数段に重なり合うようにして、前記屋根パネル１のパネル本体２の表面に取り付けられており、
前記一対の脚部５ｂの高さ寸法は、前記屋根仕上げ材４同士が重なり合う部分よりも高くなるように設定されていることを特徴とする。
【００１１】
請求項３に記載の発明によれば、前記一対の脚部５ｂの高さ寸法は、前記屋根仕上げ材４同士が重なり合う部分よりも高くなるように設定されているので、前記スペーサ本体５ａが前記複数の屋根仕上げ材４に接触することを防ぐことが可能となり、これら複数の屋根仕上げ材４が破損してしまうことを、より確実に防ぐことができる。
【００１２】
請求項４に記載の発明は、例えば図４に示すように、請求項２または３に記載の建築用パネル１の積み重ね構造において、
前記スペーサ本体５ａの下面には、前記重なり合う屋根仕上げ材４の表面に当接する緩衝材６が取り付けられていることを特徴とする。
【００１３】
請求項４に記載の発明によれば、前記スペーサ本体５ａの下面には、前記重なり合う屋根仕上げ材４の表面に当接する緩衝材６が取り付けられているので、前記スペーサ本体５ａと、前記重なり合う屋根仕上げ材４とが強く接触する際の衝撃を緩和することが可能となり、これら複数の屋根仕上げ材４が破損してしまうことを、さらに確実に防ぐことができる。
【００１４】
請求項５に記載の発明は、例えば図４に示すように、請求項２〜４のいずれか一項に記載の建築用パネル１の積み重ね構造において、
前記屋根パネル１には、この屋根パネル１の表面から突出する雪止め部材７が複数設けられており、
前記スペーサ５の高さ寸法は、前記雪止め部材７よりも高くなるように設定されていることを特徴とする。
【００１５】
請求項５に記載の発明によれば、前記スペーサ５の高さ寸法は、前記雪止め部材７よりも高くなるように設定されているので、下方に位置する屋根パネル１の表面から突出する複数の雪止め部材７が、上方に位置する屋根パネル１の下面に接触することを防ぐことが可能となり、これら複数の雪止め部材７だけでなく、上方に位置する屋根パネル１の下面が破損してしまうことも確実に防ぐことができる。
【発明の効果】
【００１６】
本発明によれば、スペーサは、パネル本体の表面に取り付けられる複数の仕上げ板材に跨るようにして配置される長尺なスペーサ本体と、このスペーサ本体の両端部にそれぞれ取り付けられるとともに、パネル本体の表面の周縁部付近のジョイント領域に設置される一対の脚部とを備えているので、これら一対の脚部をジョイント領域に設置するとともに、スペーサ本体をパネル本体の表面に取り付けられた複数の仕上げ板材に跨るようにして配置することによって、スペーサを、パネル本体の表面に取り付けられた複数の仕上げ板材を跨ぐようにして、パネル本体上に配置できることとなる。
これによって、輸送時に、建築用パネルを上下方向に複数積み重ねたとしても、これら建築用パネル同士が強く接触することがなくなるので、これら複数の建築用パネルのパネル本体の表面に取り付けられた複数の仕上げ板材が破損してしまうことを確実に防ぐことができる。したがって、従来とは異なり、現場で、これら複数の仕上げ板材の破損部分を修復したり、これら複数の仕上げ板材自体を取り替えたりする必要がなくなるので、現場での建物の施工に係る作業を軽減して施工性を向上させることが可能となる。
【発明を実施するための最良の形態】
【００１７】
以下、図面を参照して本発明の実施の形態について説明する。
【００１８】
本実施の形態の建築用パネル１の積み重ね構造は、図１〜図４に示すように、パネル本体２と、このパネル本体２の表面に、このパネル本体２の周縁部から所定の間隔をあけて取り付けられる複数の仕上げ板材４とを備える建築用パネル１を、スペーサ５を介して上下方向に複数積み重ねてなるものであり、前記パネル本体２の表面の周縁部付近は、このパネル本体２と、このパネル本体２と隣接する他のパネル本体２とを連結した際に、これら隣接するパネル本体２間に架け渡されるジョイント用の仕上げ板材４を取り付けるためのジョイント領域Ｔとされており、前記スペーサ５は、前記パネル本体２の表面に取り付けられる複数の仕上げ板材４に跨るようにして配置される長尺なスペーサ本体５ａと、このスペーサ本体５ａの両端部にそれぞれ取り付けられるとともに、前記ジョイント領域Ｔに設置される一対の脚部５ｂとを備えており、下方に位置する建築用パネル１のパネル本体２には、前記スペーサ５が、このパネル本体２の長さ方向に沿って複数設けられており、これら複数のスペーサ５上に架け渡されるようにして、上方に位置する建築用パネル１が載置されている。
【００１９】
なお、本実施の形態の建築用パネル１は、建物の屋根を構成する屋根パネル１であり、前記仕上げ板材４は、屋根仕上げ材４であるものとする。
また、上述の、建築用パネル１を上下方向に複数積み重ねる、とは、平板状の建築用パネル１を、いわゆる平積みする状態を指しており、これら平積みされた複数の建築用パネ
ル１間に、前記複数のスペーサ５がそれぞれ介在した状態となっている。
【００２０】
ここで、前記パネル本体２は、図１，図３および図４に示すように、縦横の框材が矩形状に組み立てられるとともに、矩形枠の内部に補助棧材が縦横に組み付けられて枠体２ａが構成され、この枠体２ａの上面に、野地板となる面材２ｂが貼設されたものであり、内部中空な構造となっている。さらに、その内部中空な部分には、通常、グラスウールやロックウール等の断熱材が装填される。
なお、本実施の形態のパネル本体２は、矩形状に形成されるものとしたが、これに限るものではなく、例えば正方形や台形、三角形、円形等に形成されるものとしても良い。
【００２１】
また、前記面材２ｂの上面には、図１〜図４に示すように、前記パネル本体２の防水性を向上させる防水シート３が敷設されている。この防水シート３としては、例えばアスファルトルーフィングや塩化ビニルシート等が用いられるようになっている。
【００２２】
前記複数の屋根仕上げ材４は、図１〜図４に示すように、屋根の勾配方向に沿って下方から上方に向かって複数段に重なり合うようにして、前記屋根パネル１のパネル本体２の表面に、前記防水シート３を介して取り付けられてている。
また、前記屋根パネル１には、この屋根パネル１の表面から突出する雪止め部材７が複数設けられている。この雪止め部材７は、屋根面に積もった雪の滑落を防ぐためのものであり、前記複数の屋根仕上げ材４とともに予め前記パネル本体２に取付固定しておくようにする。そして、この雪止め部材７は、例えば薄肉の金属製であり、図４に示すように、複数段に重なり合う屋根仕上げ材４間に挟み込まれるようにして、前記パネル本体２の表面に固定されている。
【００２３】
また、前記屋根仕上げ材４は、図２および図３に示すように、表面に、働き部分としての露出部４ａと、自身の上段に位置する屋根仕上げ材４の裏面側に差し込まれるようにして配置される差込部４ｂとを備えている。さらに、前記差込部４ｂには、前記屋根仕上げ材４の幅方向に沿って釘打ちライン（図示せず）が設けられており、前記複数の屋根仕上げ材４は、この釘打ちラインに沿って、釘等の止着材を複数打ち込むことによって前記パネル本体２の表面に取付固定されている。
【００２４】
なお、本実施の形態の屋根仕上げ材４としては、例えばアスファルトシングルやファイバーグラスシングル等が用いられており、耐久性や防火性、防水性、耐風性に優れるとともに、可撓性を有している。このように前記屋根仕上げ材４が可撓性を有しているので、例えば屋根の施工を行う際にめくり上げやすく、屋根仕上げ材４同士を重ね合わせやすいという利点がある。
また、前記複数の屋根パネル１同士を連結する際は、前記ジョイント領域Ｔにも、前記屋根仕上げ材４と同種のデザインや同等の機能を有するジョイント用の屋根仕上げ材４が取り付けられることとなる。
【００２５】
一方、前記スペーサ５は、図１，図３および図４に示すように、前記パネル本体２の表面に取り付けられた複数の屋根仕上げ材４に跨るようにして配置される長尺なスペーサ本体５ａと、このスペーサ本体５ａの両端部にそれぞれ取り付けられるとともに、前記ジョイント領域Ｔに設置される一対の脚部５ｂとを備えている。
【００２６】
また、前記スペーサ５の高さ寸法は、図４に示すように、前記雪止め部材７よりも高くなるように設定されている。これによって、下方に位置する屋根パネル１の表面から突出する複数の雪止め部材７が、上方に位置する屋根パネル１の下面に接触することを防ぐことができるので、これら複数の雪止め部材７だけでなく、上方に位置する屋根パネル１の下面が破損してしまうことも確実に防ぐことができる。
【００２７】
また、本実施の形態の前記スペーサ本体５ａおよび一対の脚部５ｂは、双方とも木製の角材によって構成されているものとするが、これに限るものではなく、例えば双方とも金属で構成されていたり、一方が木材で他方が金属で構成されていたりしても良い。
【００２８】
また、前記一対の脚部５ｂを、前記スペーサ本体５ａに対して水平回転自在としてもよい。すなわち、前記脚部５ｂを前記スペーサ本体５ａに固定する際に、例えば１本の釘やボルト等の止着材で固定することによって、この止着材を軸にして前記脚部５ｂを、前記スペーサ本体５ａに対して水平回転させることができる。これによって、矩形状や正方形のパネル本体２だけでなく、台形や三角形、円形等に形成されたパネル本体２にも対応させて前記スペーサ５を設けることが可能となる。
【００２９】
なお、図示はしないが、平面形状の異なる複数の屋根パネル１を上下方向に積み重ねた際に、下方に位置する屋根パネル１よりも、上方に位置する屋根パネル１の方が大きくはみ出してしまう場合がある。そのような場合は、この上方に位置する屋根パネル１と、前記下方に位置する屋根パネル１の更に下方に位置する屋根パネル１との間に、例えば柱状の補助スペーサを用いることが、積み重ね状態の安定化を図る上で好ましい。この時、この補助スペーサは、前記更に下方に位置する屋根パネル１のパネル本体２のジョイント領域Ｔに設置される。
【００３０】
また、前記スペーサ本体５ａの下面には、図４に示すように、前記重なり合う屋根仕上げ材４の表面に当接する緩衝材６が取り付けられている。これによって、前記スペーサ本体５ａと、前記重なり合う屋根仕上げ材４とが強く接触する際の衝撃を緩和することができるので、これら複数の屋根仕上げ材４が破損してしまうことを、さらに確実に防ぐことができる。
本実施の形態の緩衝材６は、例えばダンボールで構成されるものとするが、これに限るものではなく、例えばゴムやシリコン等のように弾力性や衝撃吸収性を備えるものであっても良い。
【００３１】
次に、前記屋根パネル１を、上下方向に複数積み重ねる手順について説明する。
すなわち、まず、図１に示すように、地面等の水平面に、角材からなる支持材８を、所定の間隔をあけて複数並設する。
そして、これら複数の支持材８上に架け渡すようにして、最下段に位置する屋根パネル１を載置する。
【００３２】
続いて、この最下段に位置する屋根パネル１のパネル本体２の周縁部付近のジョイント領域Ｔに、前記一対の脚部５ｂを設置するとともに、前記スペーサ本体５ａを前記パネル本体２の表面に取り付けられた複数の仕上げ板材４に跨るようにして配置して、前記スペーサ５を、前記パネル本体２上に配置する。
また、このようなスペーサ５を、前記最下段に位置する屋根パネル１のパネル本体２長さ方向に沿って所定の間隔をあけて複数並設する。これによって、上方に位置する建築用パネル１を、これら複数のスペーサ５上に安定的に載置することができる。
以上のような作業を繰り返して、上下方向に複数の屋根パネル１を積み重ねていく。
【００３３】
なお、前記複数のスペーサ５を、前記パネル本体２の長さ方向に沿って並設する際の所定の間隔を、前記複数の支持材８を並設する際の所定の間隔と略等しくすることによって、積み重なる複数の屋根パネル１全体の積み重ね状態の安定化を図ることができるので、望ましい。
【００３４】
また、前記緩衝材６は、予め前記スペーサ本体５ａの下面に取り付けておくことが好ましい。これによって、前記スペーサ５を前記パネル本体２上に配置した際に、万が一、このスペーサ５と前記複数の屋根仕上げ材４とが強く接触した場合の衝撃を緩和することができるので、前記複数の屋根仕上げ材４の破損を確実に防ぐことができる。
【００３５】
本実施の形態によれば、前記建築用パネル１は、建物の屋根を構成する屋根パネル１であり、前記仕上げ板材４は、屋根仕上げ材４であることから、前記スペーサ５を、前記屋根パネル１のパネル本体２の表面に取り付けられた複数の屋根仕上げ材４を跨ぐようにして、前記パネル本体２上に配置することによって、輸送時に、前記屋根パネル１を上下方向に複数積み重ねたとしても、これら屋根パネル１同士が強く接触することがなくなるので、これら複数の屋根パネル１のパネル本体２の表面に取り付けられた複数の屋根仕上げ材４が破損してしまうことを確実に防ぐことができる。したがって、従来とは異なり、現場で、これら複数の屋根仕上げ材４の破損部分を修復したり、これら複数の屋根仕上げ材４自体を取り替えたりする必要がなくなるので、現場での屋根の施工に係る作業を軽減して施工性を向上させることが可能となる。
【００３６】
しかも、このようなスペーサ５が、前記下方に位置する屋根パネル１のパネル本体２の長さ方向に沿って複数設けられているので、前記上方に位置する屋根パネル１を、これら複数のスペーサ５上に安定的に載置することができる。これによって、できるだけ多くの屋根パネル１を輸送車両の荷台に積載することができるので、輸送効率を向上させることができる。
また、前記パネル本体２の表面に、前記複数の屋根仕上げ材４を予め取り付けておくことができるので、このような屋根パネル１を用いて屋根を施工することによって、現場での作業を軽減することができる。
【００３７】
なお、本実施の形態の建築用パネル１として、前記屋根パネル１だけでなく、床パネルや壁パネルを適用できることは言うまでもない。前記仕上げ板材４は、床パネルであれば例えばフローリング材であり、壁パネルであれば例えば外壁材や内壁材が適用される。
【００３８】
また、本実施の形態の建築用パネル１の積み重ね構造は、輸送時だけに限られず、現場や倉庫等で前記建築用パネル１を保管するときにも採用できる。
【図面の簡単な説明】
【００３９】
【図１】本発明の建築用パネルの積み重ね構造を示す正面図である。
【図２】建築用パネルの一例を示す平面図である。
【図３】図１に示す建築用パネルの積み重ね構造の一部を示す斜視図である。
【図４】本発明の建築用パネルの積み重ね構造の一例を示す部分拡大断面図である。
【符号の説明】
【００４０】
１  建築用パネル（屋根パネル）
２  パネル本体
４  仕上げ板材（屋根仕上げ材）
５  スペーサ
５ａ  スペーサ本体
５ｂ  脚部
Ｔ  ジョイント領域
【図１】
2009255960.tif 000003
【図２】
2009255960.tif 000004
【図３】
2009255960.tif 000005
【図４】
2009255960.tif 000006